(57)【要約】  パッド部材（２００）と、前記パッド部材から伸びる薄いパッド（３００）と、パッド部材の内部に完全に挿入される硬質ブロック部（４００）と、を有する。パッド部材を左側面または右側面から見ると、パッド部材（２００）は全体的に六角形で弾力がある。斜辺面（２０１）は人間工学的にうねって形成されている。硬質ブロック部（４００）は弾力が無い素材によって形成されており、大人の人間の臀部の形状及びサイズを有し、その質量によって生じる重力に耐える。硬質ブロック部（４００）は、パッド部材（２００）の直角部分に全体的に挿入される。硬質ブロック部の正面部（４０３）の高さＨは、使用者の尾てい骨の端部と仙骨結節との間よりも高い。パッド部材（２００）及び硬質ブロック部（４００）の底面は平らであり、安定性を与える。【選択図】  図１
2015526173.tif 000002
【特許請求の範囲】
【請求項１】
パッド部材と、前記パッド部材から伸びる薄いパッドと、前記パッド部材の内部に完全に挿入される硬質ブロック部と、を有し；
前記パッド部材を左側面または右側面から見ると、前記パッド部材は全体的に直角三角形であり、発泡体、ゴム部材またはコットン等の弾力がある素材で形成されているため、座り心地が良く；
前記パッド部材の斜辺面は使用者に快適性を与えるため、人間工学にうねって形成されており；
前記パッド部材の斜辺面と薄いパッドとを合わせた面積は、使用者の臀部と上脚部と膝とを合わせた面積よりも広いため、前記使用者の身体の一部が平面を触れずに座具に足を曲げて完全に座ることができ；
前記硬質ブロック部は木材、発泡ポリエスチレン、硬質ゴムの弾力が無い素材によって形成されており；
前記硬質ブロック部は、破断することなく、大人の人間の臀部の形状及びサイズと同等で、その人間の質量によって生じる重力に耐えることができ；
前記硬質ブロック部は、前記パッド部材の直角部分に完全に挿入され；
前記硬質ブロック部の正面部の高さは、使用者の尾てい骨の一番低い位置と座骨結節の一番低い位置との間よりも高く；
前記パッド部材及び前記硬質ブロック部の底面は平らであり、安定性を与える、座具。
【請求項２】
使用者は足を曲げて着座し、臀部を前記パッド部材の高い位置に配置し、上脚部を前記パッド部材の斜辺面に沿って伸ばし、左下脚部及び右下脚部の両方を薄いパッドの内側に配置し、下脚部を薄いパッドの長辺方向に曲げ、右下脚部を左上脚部の上に載せる。代わりに、使用者は結跏趺座（cross-legged sitting posture）、すなわち蓮華座で着座しても良い。重要なことは、使用者の仙骨と尾てい骨とが硬質ブロック部の上部に配置されるように持ち上げられ、座骨が前記硬質ブロック部の正面の近辺に保持され、使用者が臀部を調整することが必要である、請求項１に記載の座具を使用する方法。
【発明の詳細な説明】
【技術分野】
【０００１】
本発明は平坦面に座る際に使用し、頚椎、胸椎、腰椎等の脊椎疾患を予防する効果を持つ座具に関する。
【背景技術】
【０００２】
着座時の姿勢が悪いと、様々な脊椎疾患に繋がる。正しい姿勢での着座とは、直立時と同様、骨盤の位置を自然に保つ姿勢をいう。骨盤が自然な位置に保たれると、脊椎のＳ字カーブが自然な位置に保たれるため、身体の全体の重さが脊椎骨及び骨盤に均等に分散し、バランスが保たれる。結果として、脊椎疾患を発症しにくくなる。
【０００３】
しかし、床などの平面に正しい姿勢で着座することは難しく、支持具を装着していないと更に難しく、骨盤が前後に傾斜するため、過度な圧迫及び筋肉のアンバランスによって背中の痛みと骨盤の異常な傾斜を引き起こす。悪い姿勢での着座を長期間続けると、頚椎、胸椎、腰椎などの脊椎疾患を発症する。結果として、背中、頸部、関節の痛み、緊張頭痛、疲労及びストレスに関連する体調不良、その他の健康障害を発症する。
【０００４】
実際、例えば仕事、瞑想、宗教の集会の参加など、様々な理由によって、床などの平面に長時間着座する事がある。平面に着座している間、骨盤を真っ直ぐに保持するための支持具が無いと、背中の痛み、若しくは上述したいずれかの脊椎疾患を引き起こす場合がある。これまで、平面に着座している間における様々な支持具が開発されてきた。しかし、これらの支持具は、正しい姿勢で着座して骨盤を自然な位置に保持するための鍵となる、安定的なサポートには繋がらない。座蒲はその具体例である。座蒲の綿毛の柔らかくて軽い素材は腰が浮かせるため、使用者の重力によって発生する反力の一部を吸収し、結果として使用者は例えば蓮華座などの足を組んだ姿勢で着座するほうが楽になる。しかしながら、座蒲は綿毛を使用するため、使用者の骨盤を安定させず、使用者の姿勢によって骨盤及び尾てい骨が様々な方向に傾くため、いずれ背中の痛み及び様々な脊椎障害を引き起こす。
【０００５】
米国特許第６，１４１，８０７号明細書は、「正しい姿勢での着座を促す」調節可能な枕を開示する。しかし、臀部全体を保持する形状を形成するために、枕は柔らかい素材で形成されているため、骨盤を常に自然な位置で保持するために安定したサポートは有していない。米国特許第５，６５２，９８３号明細書は、着座を快適にする着座／就寝枕を開示している。しかし、着座／就寝枕も骨盤を自然な位置に保持するための安定したサポートは有さない。
【先行技術文献】
【特許文献】
【０００６】
【特許文献１】米国特許第６，１４１，８０７号明細書
【特許文献２】米国特許第５，６５２，９８３号明細書
【発明の概要】
【発明が解決しようとする課題】
【０００７】
平らな表面に着座している間に使用する装置の発明が必要とされる。座具は使用者を安定して保持し、使用者の骨盤を常に自然な位置に配置することにより、骨盤を常に正しい姿勢を保つ。座具は、頚椎疾患、胸椎疾患、腰椎疾患を含めた、様々な脊椎疾患を予防することが可能となる。本発明は、このような座具を目的とする。
【課題を解決するための手段】
【０００８】
本発明によると、座具は、パッド部材と、前記パッド部材から伸びる薄いパッドと、前記パッド部材の内部に完全に挿入される硬質ブロック部と、を含む。
【０００９】
パッド部材を左側面または右側面から見ると、パッド部材は全体的に直角三角形であり、発泡体、ゴム部材またはコットン等の弾力がある素材で形成されているため、座り心地が良い。パッド部材の斜辺面は、使用者に快適性を与えるため、人間工学にうねって形成されている。パッド部材の斜辺面と薄いパッドとを合わせた面積は、使用者の臀部と上脚部と膝とを合わせた面積よりも広いため、使用者の身体の一部が平面を触れずに座具に足を曲げて完全に座ることができる。
【００１０】
硬質ブロック部は木材、発泡ポリエスチレン、硬質ゴム等の弾力が無い素材によって形成されている。硬質ブロック部は、破断することなく、大人の人間の臀部の形状及びサイズと同等で、その質量によって生じる重力に耐えることができる。硬質ブロック部は、パッド部材の直角部分に全体的に挿入される。硬質ブロック部の正面部の高さは、使用者の尾てい骨の一番低い位置と座骨結節の一番低い位置との間よりも高い。パッド部材及び硬質ブロック部の底面は平らであり、安定性を与える。
【００１１】
座具を適切に使用するためには、使用者は足を曲げて着座し、臀部を前記パッド部材の一番高い位置に配置し、上脚部を前記パッド部材の斜辺面の方向に伸ばし、左下脚部及び右下脚部の両方を薄いパッドの内側に配置し、左下脚部及び右下脚部を薄いパッドの長辺方向に曲げて、右下脚部を左上脚部の上に載せる。代わりに、使用者は結跏趺座、すなわち蓮華座で着座しても良い。重要なことは、使用者の仙骨と尾てい骨とが硬質ブロック部の上部に配置されるように持ち上げられ、座骨が前記硬質ブロック部の正面の近辺に保持され、使用者が臀部を調整することが必要である。この姿勢によって、骨盤が自然な位置に「固定」され、使用者は正しい姿勢で着座することができ、頚椎疾患、胸椎疾患、腰椎疾患など、脊椎に関連する疾患を予防することができる。前述の通り、パッド部材の内部に硬質ブロック部が挿入されていないと、使用者の骨盤が自由に傾斜するため、悪い姿勢に繋がる。
【図面の簡単な説明】
【００１２】
以下の詳細な説明を参考にすることにより、本発明の内容は更に理解される。詳細な説明は以下の図面を参照する。
【００１３】
【図１】本発明における、脊椎疾患を予防するための座具の左斜視図である。
【図２】図１における座具の右側面図である。
【図３】図１で図示された座具であって、図２に図示されたＡ−Ａ’面の断面図である。
【図４】図４は、図１で図示された座具であって、図２に図示されたＢ−Ｂ’面の断面図である。
【図５】図１の座具の使用方法である。
【発明を実施するための形態】
【００１４】
本発明は、平らな表面に着座する際に使用する座具に関する。座具を使用することによって、使用者は正しい姿勢を保つことが可能となり、骨盤が常に自然な位置に配置される。
【００１５】
本発明の図１に示されている脊椎疾患を予防するための座具１００は、パッド部材２００と、前記パッド部材２００から伸びる薄いパッド３００と、前記パッド部材の内部に完全に挿入される硬質ブロック部４００と、を含む。図１の左側面２０２Ｌ、または図２の右側面２０２Ｒを参照すると、パッド部材２００は全体的に直角三角形であり、発泡体、ゴム部材またはコットンで形成されているため、座具１００の座り心地が良くなる。パッド部材２００の斜辺面２０１は人間工学にうねって（波打って）形成されているため、使用者に更なる快適性を与える。パッド部材２００の斜辺面２０１と薄いパッド３００とを合わせた面積は、使用者の臀部と上脚部と膝とを合わせた面積よりも広いため、使用者の身体の一部が床平面に触れずに座具１００に完全に着座することができる。硬質ブロック部４００は、木材、発泡ポリエスチレン、硬質ゴムの弾力が無い素材によって形成されている。
【００１６】
硬質ブロック部４００は、破断することなく、大人の臀部の形状及びサイズと同等で、その大人の質量によって生じる重力に耐えることができる。硬質ブロック部４００は、パッド部材２００の直角部分に完全に挿入される。図３に示される通り、硬質ブロック部４００の正面部４０３の高さＨは、使用者の尾てい骨の一番低い位置と座骨結節の一番低い位置との間よりも高い。パッド部材２００及び硬質ブロック部４００の底面は平らであり、安定性を与える。
【００１７】
座具１００を適切に使用するためには、使用者は足を曲げて着座し、図３に示される通り、使用者の臀部を前記パッド部材２００の一番高い位置Ｔに配置し、上脚部を前記パッド部材の斜辺面２０１の方向に伸ばし、左下脚部及び右下脚部の両方を薄いパッド３００の内側に配置し、図２に示される通り、左下脚部及び右下脚部を薄いパッド３００の長辺方向Ｌに曲げ、右下脚部を左下脚部の上に載せる。代わりに、使用者は結跏趺座、すなわち蓮華座で着座しても良い。重要なことは、使用者の仙骨が硬質ブロック部４００の一番高いエリア４０１に配置されるように持ち上げられ、尾てい骨が高原エリア４０２に配置され、座骨が前記硬質ブロック部４００の正面４０３の近辺に保持されるように、臀部の位置を調節することが必要である。
【００１８】
この姿勢によって、骨盤が自然な位置に「固定」され、使用者は正しい姿勢で着座することができ、頚椎疾患、胸椎疾患、腰椎疾患など、脊椎に関連する疾患を予防することができる。前述の通り、パッド部材２００の内部に硬質ブロック部４００が挿入されていないと、使用者の骨盤が自由に傾斜するため、悪い姿勢に繋がる。
【図１】
2015526173.tif 000003
【図２】
2015526173.tif 000004
【図３】
2015526173.tif 000005
【図４】
2015526173.tif 000006
【図５】
2015526173.tif 000007
【手続補正書】
【提出日】平成27年6月12日(2015.6.12)
【手続補正１】
【補正対象書類名】明細書
【補正対象項目名】全文
【補正方法】変更
【補正の内容】
【発明の詳細な説明】
【技術分野】
【０００１】
本発明は平坦面に座る際に使用し、頚椎、胸椎、腰椎等の脊椎疾患を予防する効果を持つ座具に関する。
【背景技術】
【０００２】
着座時の姿勢が悪いと、様々な脊椎疾患に繋がる。正しい姿勢での着座とは（図８Ａを参照）、直立時と同様、骨盤の位置を自然に保つ姿勢、すなわち仙骨を中心として骨盤が左右対称になるように真っ直ぐにし、仙骨が骨盤の２つの着座部よりも高い場所に位置するよう、骨盤の位置を自然に保つ状態をいう。骨盤が自然な位置に保たれると、脊椎が右または左に傾かず、脊椎のＳ字カーブが自然な位置に保たれるため、身体の全体の重さが脊椎骨及び骨盤に均等に分散し、バランスが保たれる。結果として、脊椎疾患を発症しにくくなる。
【０００３】
しかし、床などの平面に着座すると、足と２つの臀部とが同じ高さとなるため、骨盤が前にスライドし仙骨が下に引っ張られ、脊柱がＳ字からＣ字に湾曲し、脊椎の前方が圧迫されて後方が開大するため、骨盤を自然な位置に安定させることが難しい。このような状態によって、骨盤の皿部分が挟み込まれ、神経または脊髄が後方に突出するため、圧迫によって背中の痛みが生じ、骨盤、仙骨及び尾てい骨に反り及び変形が発生し、バランスが取れなくなり、歪み、猫背、湾曲が無い状態など、骨盤の形状の変形に繋がる。悪い姿勢での着座を長期間続けると、頚椎、胸椎、腰椎などの脊椎疾患を発症する。結果として、背中、頸部、関節の痛み、緊張頭痛、疲労及びストレスに関連する体調不良、その他、椎間板ヘルニア、脊椎すべり症等の健康障害を発症する。
【０００４】
図８Ｂ及び８Ｃでは悪い姿勢で着座している状態を図示しており、図８Ｂでは前傾姿勢を図示しており、図８Ｃでは退行性疲労の姿勢を図示している。実際、例えば仕事、瞑想、宗教の集会の参加など、様々な理由によって、床などの平面に長時間着座する事がある。平面に着座している間、骨盤を真っ直ぐに保持するための支持具が無いと、背中の痛み、若しくは上述したいずれかの脊椎疾患を引き起こす場合がある。これまで、平面に着座している間における様々な支持具が開発されてきた。しかし、これらの支持具は、正しい姿勢で着座して骨盤を自然な位置に保持するための鍵となる、安定的なサポートには繋がらない。座蒲はその具体例である。座蒲または座席クッションのように、綿毛の柔らかくて軽い素材は腰が浮くため、使用者の重力によって発生する反力の一部を吸収し、結果として使用者は例えば蓮華座などの足を組んだ姿勢で着座するほうが楽になる。しかしながら、座蒲は綿毛を使用するため、使用者の骨盤を安定させず、使用者の姿勢によって骨盤及び尾てい骨が様々な方向に傾くため、いずれ背中の痛み及び様々な脊椎障害を引き起こす。
【０００５】
米国特許第６，１４１，８０７号明細書は、「正しい姿勢での着座を促す」調節可能な枕を開示する。しかし、臀部全体を保持する形状を形成するために、枕は柔らかい素材で形成されているため、骨盤を常に自然な位置で保持するために安定したサポートは有していない。米国特許第５，６５２，９８３号明細書は、着座を快適にする着座／就寝枕を開示している。しかし、着座／就寝枕も骨盤を自然な位置に保持するための安定したサポートは有さない。
【先行技術文献】
【特許文献】
【０００６】
【特許文献１】米国特許第６，１４１，８０７号明細書
【特許文献２】米国特許第５，６５２，９８３号明細書
【発明の概要】
【発明が解決しようとする課題】
【０００７】
平らな表面に着座している間に使用する装置の発明が必要とされる。座具は使用者を安定して保持し、仙骨、尾てい骨、座骨結節（粗面）に対応する階層形状によって形成されており、身体の重みによって形状の沈下または傾斜を起こさないような剛性を備えており、使用者の骨盤を常に自然な位置に配置し、骨盤が常に直立及び左右対称になるような姿勢を保つことにより、使用者の脊椎の傾斜、変形または猫背を予防する。座具は、頚椎疾患、胸椎疾患、腰椎疾患を含めた、様々な脊椎疾患を予防することが可能となる。本発明は、脊椎及び仙骨を保護するための座具を目的とする。
【課題を解決するための手段】
【０００８】
本発明によると、脊椎疾患を予防するための座具は、パッド部材と、前記パッド部材から前方向に伸びる薄いパッドと、前記パッド部材の内部に完全に挿入される硬質ブロック部と、を含む。
【０００９】
パッド部材を左側面または右側面から見ると、パッド部材は全体的に六角形の形状であり、発泡体、ゴム部材またはコットンで形成されているため、座具の座り心地が良くなる。
パッド部材の斜辺面と薄いパッドとを合わせた面積は、使用者の臀部と上脚部と膝とを合わせた面積よりも広いため、使用者の身体の一部が平面を触れずに座具に足を曲げて完全に座ることができる。
【００１０】
硬質ブロック部は柔らかいパッド部材の内部に配置されており、木材、発泡ポリエスチレン、硬質ゴム等の弾力が無い素材によって形成されている。
硬質ブロック部は、変形することなく、大人の人間の質量によって生じる重力に耐えることができ、硬質ブロック部の高さは、仙骨の一番低い位置と座骨結節の一番低い位置との空間を埋めるよう形成されている。硬質ブロック部の正面部の高さは、使用者の尾てい骨の一番低い位置と仙骨結節の一番低い位置との間よりも大きい。このため、硬質ブロック部は、骨盤及び仙骨を直立及び左右均等の姿勢に保つことができ、硬質ブロック部の上部から下部は解剖学的なバランスに応じた階段形状で仙骨、尾てい骨及び座骨結節の各部を支持を確実にして、骨盤及び仙骨を直立及び左右均等に保つ。そして、頚椎疾患、胸椎疾患、腰椎疾患または脊椎疾患の発症を防ぐ。
【００１１】
座具を適切に使用するためには、使用者は足を曲げて着座し、臀部を前記パッド部材の一番高い位置に配置し、上脚部を前記パッド部材の斜辺面の方向に伸ばし、左下脚部及び右下脚部の両方を薄いパッドの内側に配置し、左下脚部及び右下脚部を薄いパッドの長辺方向に曲げて、右下脚部を左上脚部の上に載せる。代わりに、使用者は結跏趺座、すなわち蓮華座で着座しても良い。重要なことは、使用者の仙骨と尾てい骨とが硬質ブロック部の上部に配置されるように持ち上げられ、座骨が前記硬質ブロック部の正面の近辺に保持され、使用者の臀部を調整することが必要である。この姿勢によって、骨盤が自然な位置に「固定」され、使用者の頸部から腰椎まで直立した姿勢で着座することができ、頭部と脊椎の中心軸と仙骨の中心軸とが真っ直ぐな軸となり、頚椎疾患、胸椎疾患、腰椎疾患など、悪い姿勢によって発生する脊椎に関連する疾患を予防することができる。前述の通り、パッド部材の内部に硬質ブロック部が挿入されていないと、使用者の骨盤が傾斜し、自由に歪むため、退行性の姿勢に繋がる。
【図面の簡単な説明】
【００１２】
以下の詳細な説明を参考にすることにより、本発明の内容は更に理解される。詳細な説明は以下の図面を参照する。
【００１３】
【図１】本発明における、脊椎疾患を予防するための座具の左斜視図である。
【図２】図１における座具の右側面図である。
【図３】図１で図示された座具であって、図２に図示されたＡ−Ａ’面の断面図である。
【図４】図４は、図１で図示された座具であって、図２に図示されたＢ−Ｂ’面の断面図である。
【図５】図１の座具の使用方法である。
【図６】図１の座具の使用方法である。
【図７】図１の座具の使用方法である。
【図８Ａ】正しい姿勢での着座状態を図示している。
【図８Ｂ】前傾姿勢での着座状態を図示している。
【図８Ｃ】退行性の姿勢での着座状態を図示している。
【発明を実施するための形態】
【００１４】
本発明は、平らな表面に着座する際に使用する座具に関する。座具を使用することによって、使用者は直立の姿勢を保つことが可能となり、骨盤が常に自然な位置に配置されるため、頭部、頸部、腰椎及び脊椎の猫背を予防する。
【００１５】
本発明の図１〜５によると、図１に示されている脊椎疾患を予防するための座具１００は、パッド部材２００と、前記パッド部材２００から伸びる薄いパッド３００と、前記パッド部材の内部に完全に挿入される硬質ブロック部４００と、を含む。図１の左側面２０２Ｌ、または図２の右側面２０２Ｒを参照すると、パッド部材２００は全体的に六角形の形状であり、発泡体、ゴム部材またはコットンで形成されているため、座具１００の座り心地が良くなる。パッド部材２００の斜辺面２０１は人間工学にうねって（波打って）形成されているため、使用者に更なる快適性を与える。パッド部材２００の斜辺面２０１と薄いパッド３００とを合わせた面積は、使用者の臀部と上脚部と膝とを合わせた面積よりも広いため、使用者の身体の一部が床平面に触れずに座具１００に完全に着座することができる。硬質ブロック部４００は、木材、発泡ポリエスチレン、硬質ゴムの弾力が無い素材によって形成されている。
【００１６】
階段形状を有する硬質ブロック部４００は、変形することなく、大人の質量によって生じる重力に耐えることができる。硬質ブロック部の高さは、仙骨の一番低い位置と座った座骨結節との一番低い位置一番低い位置一番低い位置との空間を埋めるように計算して形成されている。図３に図示されている、前記硬質ブロック部４００の正面部４０３の高さＨは、使用者の尾てい骨の一番低い位置と仙骨の座骨結節の一番低い位置との間よりも大きい。このため、使用者の仙骨及び尾てい骨の位置を骨盤の２つの結節よりも常に上に持ち上げて、高さＨの間を埋めるため、仙骨の位置が座骨結節の位置よりも常に高い位置になり、硬質ブロック部によって骨盤及び仙骨を直立及び左右均等の姿勢に保つことができ、硬質ブロック部の高さは、平面に直接座っても、脊柱が猫背、歪み、変形を起こさないように、解剖学的なバランスに応じて、上部から下部に向かって階段形状であり、硬質ブロック部は柔らかいパッド部材の内部に配置され、その寸法は大人の臀部と同等である。硬質ブロック部４００は、パッド部材２００の最も高いエリアに完全に挿入される。パッド部材２００及び硬質ブロック部４００は、安定性を維持するために平らな底面部を有する。
【００１７】
図５〜７によると、座具１００を適切に使用するためには、使用者は足を曲げて着座し、図３に示される通り、使用者の臀部を前記パッド部材２００の一番高い位置Ｔに配置し、上脚部をパッド部材２００の斜辺面２０１の方向に伸ばし、左下脚部及び右下脚部の両方を薄いパッド３００の内側に配置し、図２に示される通り、左下脚部及び右下脚部を薄いパッド３００の長辺方向Ｌに曲げ、一方の脚の足首を他方の脚の膝に近づける。代わりに、使用者は結跏趺座、すなわち蓮華座で着座しても良い（図７参照）。重要なことは、使用者の仙骨が硬質ブロック部４００の一番高いエリア４０１に配置されるように持ち上げられ、尾てい骨が高原エリア４０２に配置され、座骨が前記硬質ブロック部４００の正面４０３の近辺に保持されるように、臀部の位置を調節することが必要である。
【００１８】
この姿勢によって、骨盤が自然な位置に「固定」され、使用者は正しい姿勢で着座することが出来るため、頚椎疾患、胸椎疾患、腰椎疾患などを予防することができる。図示されている通り、パッド部材２００の内部に硬質ブロック部４００が挿入されていないと、使用者の骨盤が自由に傾斜するため、仙骨が左右非対称となり、尾てい骨及び脊椎に歪みが生じ、骨盤の形状の変形に繋がる。
【手続補正２】
【補正対象書類名】特許請求の範囲
【補正対象項目名】全文
【補正方法】変更
【補正の内容】
【特許請求の範囲】
【請求項１】
パッド部材と、前記パッド部材から前方向に伸びる薄いパッドと、前記パッド部材の内部に完全に挿入される硬質ブロック部と、を有し；
前記パッド部材を左側面または右側面から見ると、前記パッド部材は全体的に六角形の階段形状であり、座り心地を良くするために、前記座具は発泡体、ゴム部材またはコットンの弾力がある素材で形成されており；
前記パッド部材の斜辺面と薄いパッドとを合わせた面積は、使用者の臀部と上脚部と膝とを合わせた面積よりも広く、前記使用者の身体が床平面に触れずに座具に足を曲げて完全に座ることができ；
前記硬質ブロック部は柔らかいパッド部材の内部に配置されており、木材、発泡ポリエスチレン又は硬質ゴムの弾力が無い素材によって形成されており；
前記硬質ブロック部は、変形することなく、大人の人間の質量によって生じる重力に耐えることができ、前記硬質ブロック部の高さは、使用者の仙骨の一番低い位置と座骨結節の一番低い位置との距離を埋め、前記硬質ブロック部の正面部の高さは使用者の尾てい骨の一番低い位置と仙骨結節の一番低い位置との間よりも高いため、前記硬質ブロック部は骨盤及び仙骨を直立及び左右均等の姿勢に保つことができ、前記硬質ブロック部の上部から下部は解剖学的なバランスに応じた階段形状で仙骨、尾てい骨及び座骨結節の各部の支持を確実にして、骨盤及び仙骨を直立に保ち、頚椎疾患、胸椎疾患、腰椎疾患または脊椎疾患の発症を防ぐ、脊椎疾患を予防するための座具。
【手続補正３】
【補正対象書類名】図面
【補正対象項目名】図６
【補正方法】追加
【補正の内容】
【図６】
2015526173.tif 000008
【手続補正４】
【補正対象書類名】図面
【補正対象項目名】図７
【補正方法】追加
【補正の内容】
【図７】
2015526173.tif 000009
【手続補正５】
【補正対象書類名】図面
【補正対象項目名】図８Ａ
【補正方法】追加
【補正の内容】
【図８Ａ】
2015526173.tif 000010
【手続補正６】
【補正対象書類名】図面
【補正対象項目名】図８Ｂ
【補正方法】追加
【補正の内容】
【図８Ｂ】
2015526173.tif 000011
【手続補正７】
【補正対象書類名】図面
【補正対象項目名】図８Ｃ
【補正方法】追加
【補正の内容】
【図８Ｃ】
2015526173.tif 000012
【国際調査報告】
2015526173.tif 000013
2015526173.tif 000014
2015526173.tif 000015